(57)【要約】  本発明の一実施例による無線通信システムにおいて、端末が動作する方法は、基地局から２つ以上のコードワードのそれぞれに対するＭＣＳ（Ｍｏｄｕｌａｔｉｏｎ  ａｎｄ  Ｃｏｄｉｎｇ  Ｓｃｈｅｍｅ）情報を受信するステップと、ＭＣＳ情報に基づいてＰＴＲＳ（Ｐｈａｓｅ  Ｔｒａｃｋｉｎｇ  Ｒｅｆｅｒｅｎｃｅ  Ｓｉｇｎａｌ）アンテナポートがマッピングされたＤＭＲＳ（ＤｅＭｏｄｕｌａｔｉｏｎ  Ｒｅｆｅｒｅｎｃｅ  Ｓｉｇｎａｌ）アンテナポートを決定するステップと、ＤＭＲＳアンテナポートに基づいてＰＴＲＳを受信するステップと、を含み、ＤＭＲＳアンテナポートは２つ以上のコードワードのうちより高いＭＣＳを有するコードワードに含まれる１つ以上のＤＭＲＳアンテナポートのうち最低のインデックスを有するＤＭＲＳアンテナポートと決定されることができる。【選択図】図２
2019535213.tif 000002
【特許請求の範囲】
【請求項１】
無線通信システムにおいて、端末が動作する方法であって、
基地局から２つ以上のコードワードのそれぞれに対するＭＣＳ（Ｍｏｄｕｌａｔｉｏｎ  ａｎｄ  Ｃｏｄｉｎｇ  Ｓｃｈｅｍｅ）情報を受信するステップと、
前記ＭＣＳ情報に基づいて、ＰＴＲＳ（Ｐｈａｓｅ  Ｔｒａｃｋｉｎｇ  Ｒｅｆｅｒｅｎｃｅ  Ｓｉｇｎａｌ）アンテナポートがマッピングされたＤＭＲＳ（ＤｅＭｏｄｕｌａｔｉｏｎ  Ｒｅｆｅｒｅｎｃｅ  Ｓｉｇｎａｌ）アンテナポートを決定するステップと、
前記ＤＭＲＳアンテナポートに基づいて、ＰＴＲＳを受信するステップと、を含み、
前記ＤＭＲＳアンテナポートは、２つ以上のコードワードのうち、より高いＭＣＳを有するコードワードに含まれる１つ以上のＤＭＲＳアンテナポートのうち最低のインデックスを有するＤＭＲＳアンテナポートと決定される、端末の動作方法。
【請求項２】
前記２つ以上のコードワードのＭＣＳが同一の場合、前記ＤＭＲＳアンテナポートは、前記２つ以上のコードワードに含まれる全てのＤＭＲＳアンテナポートのうち最低のインデックスを有するＤＭＲＳアンテナポートと決定される、請求項１に記載の端末の動作方法。
【請求項３】
前記２つ以上のコードワードに含まれる全てのＤＭＲＳアンテナポートは、１つのＤＭＲＳアンテナポートグループに含まれる、請求項１に記載の端末の動作方法。
【請求項４】
前記２つ以上のコードワードに含まれる全てのＤＭＲＳアンテナポートが、２つ以上のＤＭＲＳアンテナポートグループに含まれる場合、前記ＰＴＲＳアンテナポートの数は、前記２つ以上のＤＭＲＳアンテナポートグループの数より小さいか同一である、請求項１に記載の端末の動作方法。
【請求項５】
さらに、前記基地局からＰＴＲＳアンテナポートの数に関する情報を受信するステップを含む、請求項４に記載の端末の動作方法。
【請求項６】
前記２つ以上のコードワードに含まれる全てのＤＭＲＳアンテナポートが、２つ以上のＤＭＲＳアンテナポートグループに含まれ、ＰＴＲＳアンテナポートの数が１である場合、前記ＤＭＲＳアンテナポートは、前記２つ以上のコードワードのうち、より高いＭＣＳを有するコードワードに含まれるＤＭＲＳアンテナポートグループに含まれる１つ以上のＤＭＲＳアンテナポートのうち最低のインデックスを有するＤＭＲＳアンテナポートと決定される、請求項４に記載の端末の動作方法。
【請求項７】
さらに、前記２つ以上のコードワードのそれぞれに対するＣＱＩ（Ｃｈａｎｎｅｌ  Ｑｕａｌｉｔｙ  Ｉｎｆｏｒｍａｔｉｏｎ）を基地局に送信するステップと、
前記２つ以上のコードワードのうち、より大きいＣＱＩを有するコードワードに含まれる１つ以上のレイヤーのうち、チャネル品質が最良のレイヤーのレイヤーインデックスを基地局に送信するステップと、を含む、請求項１に記載の端末の動作方法。
【請求項８】
無線通信システムにおいて動作する端末であって、
基地局と信号を送受信するための送受信部と、
前記送受信部と接続されたプロセッサと、を含み、
前記プロセッサは、
前記基地局から２つ以上のコードワードのそれぞれに対するＭＣＳ（Ｍｏｄｕｌａｔｉｏｎ  ａｎｄ  Ｃｏｄｉｎｇ  Ｓｃｈｅｍｅ）情報を受信し、
前記ＭＣＳ情報に基づいてＰＴＲＳ（Ｐｈａｓｅ  Ｔｒａｃｋｉｎｇ  Ｒｅｆｅｒｅｎｃｅ  Ｓｉｇｎａｌ）アンテナポートがマッピングされたＤＭＲＳ（ＤｅＭｏｄｕｌａｔｉｏｎ  Ｒｅｆｅｒｅｎｃｅ  Ｓｉｇｎａｌ）アンテナポートを決定し、
前記ＤＭＲＳアンテナポートに基づいてＰＴＲＳを受信し、
前記ＤＭＲＳアンテナポートは、前記２つ以上のコードワードのうち、より高いＭＣＳを有するコードワードに含まれる１つ以上のＤＭＲＳアンテナポートのうち最低のインデックスを有するＤＭＲＳアンテナポートと決定される、端末。
【請求項９】
前記２つ以上のコードワードのＭＣＳが同一の場合、前記ＤＭＲＳアンテナポートは、前記２つ以上のコードワードに含まれる全てのＤＭＲＳアンテナポートのうち最低のインデックスを有するＤＭＲＳアンテナポートと決定される、請求項８に記載の端末。
【請求項１０】
前記２つ以上のコードワードに含まれる全てのＤＭＲＳアンテナポートは、１つのＤＭＲＳアンテナポートグループに含まれる、請求項８に記載の端末。
【請求項１１】
前記２つ以上のコードワードに含まれる全てのＤＭＲＳアンテナポートが、２つ以上のＤＭＲＳアンテナポートグループに含まれる場合、前記ＰＴＲＳアンテナポートの数は、前記２つ以上のＤＭＲＳアンテナポートグループの数より小さいか同一である、請求項８に記載の端末。
【請求項１２】
前記プロセッサは、さらに、前記基地局からＰＴＲＳアンテナポートの数に関する情報を受信する、請求項１１に記載の端末。
【請求項１３】
前記２つ以上のコードワードに含まれる全てのＤＭＲＳアンテナポートが、２つ以上のＤＭＲＳアンテナポートグループに含まれ、ＰＴＲＳアンテナポートの数が１である場合、前記ＤＭＲＳアンテナポートは、前記２つ以上のコードワードのうち、より高いＭＣＳを有するコードワードに含まれるＤＭＲＳアンテナポートグループに含まれる１つ以上のＤＭＲＳアンテナポートのうち最低のインデックスを有するＤＭＲＳアンテナポートと決定される、請求項１１に記載の端末。
【請求項１４】
前記プロセッサは、さらに、
前記２つ以上のコードワードのそれぞれに対するＣＱＩ（Ｃｈａｎｎｅｌ  Ｑｕａｌｉｔｙ  Ｉｎｆｏｒｍａｔｉｏｎ）を基地局に送信し、
前記２つ以上のコードワードのうち、より大きいＣＱＩを有するコードワードに含まれる１つ以上のレイヤーのうち、チャネル品質が最良のレイヤーのレイヤーインデックスを基地局に送信する、請求項８に記載の端末。
【発明の詳細な説明】
【技術分野】
【０００１】
本発明は、無線通信システムに関し、より詳細には、システムにおける位相雑音除去のためのＰＴＲＳ（Ｐｈａｓｅ  Ｔｒａｃｋｉｎｇ  Ｒｅｆｅｒｅｎｃｅ  Ｓｉｇｎａｌ）の受信方法及びそのための装置を提供することができる。
【背景技術】
【０００２】
ミリ波（ｍｍＷａｖｅ）を用いた超高周波無線通信システムは、中心周波数が数ＧＨｚ乃至数十ＧＨｚで動作するように構成される。このような中心周波数の特性によって、ｍｍＷａｖｅ通信システムでは、陰影領域でパスロス（ｐａｔｈ  ｌｏｓｓ）が目立つことがある。同期信号は、基地局のカバレッジ内に位置する全ての端末に安定的に送信されなければならないため、ｍｍＷａｖｅ通信システムでは、上述した超高周波帯域の特性から生じ得る潜在的なｄｅｅｐ−ｎｕｌｌ現象を考えた上で、同期信号を設計及び送信しなければならない。
【発明の概要】
【発明が解決しようとする課題】
【０００３】
本発明は、上述した問題点を解決するためのものであって、ＰＴＲＳの受信方法を提供することに目的がある。
【０００４】
本発明が遂げようとする別の技術的課題は、無線通信システムにおいて端末の位相雑音除去手順を改善することで、受信信号の正確なデコーディングを可能にすることに目的がある。
【０００５】
本発明が遂げようとする別の技術的課題は、位相雑音除去のための信号送信の効率を改善する方法を提供することに目的がある。
【０００６】
本発明が遂げようとする別の技術的課題は、位相雑音除去のための信号送信に関する情報を提供して、受信側の動作を改善することに目的がある。
【０００７】
本発明が遂げようとする別の技術的課題は、位相雑音に対する補償及び参照信号のオーバーヘッドを考慮して、位相雑音除去のための信号を送信する方法を提供することに目的がある。
【課題を解決するための手段】
【０００８】
本発明の一実施例によれば、無線通信システムにおいて、端末が動作する方法は、基地局から２つ以上のコードワードのそれぞれに対するＭＣＳ（Ｍｏｄｕｌａｔｉｏｎ  ａｎｄ  Ｃｏｄｉｎｇ  Ｓｃｈｅｍｅ）情報を受信するステップと、ＭＣＳ情報に基づいて、ＰＴＲＳ（Ｐｈａｓｅ  Ｔｒａｃｋｉｎｇ  Ｒｅｆｅｒｅｎｃｅ  Ｓｉｇｎａｌ）アンテナポートがマッピングされたＤＭＲＳ（ＤｅＭｏｄｕｌａｔｉｏｎ  Ｒｅｆｅｒｅｎｃｅ  Ｓｉｇｎａｌ）アンテナポートを決定するステップと、ＤＭＲＳアンテナポートに基づいて、ＰＴＲＳを受信するステップと、を含み、ＤＭＲＳアンテナポートは、２つ以上のコードワードのうち、より高いＭＣＳを有するコードワードに含まれる１つ以上のＤＭＲＳアンテナポートのうち最低のインデックスを有するＤＭＲＳアンテナポートと決定されることができる。
【０００９】
２つ以上のコードワードのＭＣＳが同一の場合、ＤＭＲＳアンテナポートは、２つ以上のコードワードに含まれる全てのＤＭＲＳアンテナポートのうち最低のインデックスを有するＤＭＲＳアンテナポートと決定されることができる。
【００１０】
２つ以上のコードワードに含まれる全てのＤＭＲＳアンテナポートは、１つのＤＭＲＳアンテナポートグループに含まれることができる。
【００１１】
２つ以上のコードワードに含まれる全てのＤＭＲＳアンテナポートが、２つ以上のＤＭＲＳアンテナポートグループに含まれる場合、ＰＴＲＳアンテナポートの数は、２つ以上のＤＭＲＳアンテナポートグループの数より小さいか同一であることができる。
【００１２】
端末が動作する方法は、さらに、基地局からＰＴＲＳアンテナポートの数に関する情報を受信するステップを含むことができる。
【００１３】
２つ以上のコードワードに含まれる全てのＤＭＲＳアンテナポートが、２つ以上のＤＭＲＳアンテナポートグループに含まれ、ＰＴＲＳアンテナポートの数が１である場合、ＤＭＲＳアンテナポートは、２つ以上のコードワードのうち、より高いＭＣＳを有するコードワードに含まれるＤＭＲＳアンテナポートグループに含まれる１つ以上のＤＭＲＳアンテナポートのうち最低のインデックスを有するＤＭＲＳアンテナポートと決定されることができる。
【００１４】
端末が動作する方法は、さらに、２つ以上のコードワードのそれぞれに対するＣＱＩ（Ｃｈａｎｎｅｌ  Ｑｕａｌｉｔｙ  Ｉｎｆｏｒｍａｔｉｏｎ）を基地局に送信するステップと、２つ以上のコードワードのうち、より大きいＣＱＩを有するコードワードに含まれる１つ以上のレイヤーのうち、チャネル品質が最良のレイヤーのレイヤーインデックスを基地局に送信するステップと、を含むことができる。
【００１５】
本発明の別の実施例によれば、無線通信システムにおいて動作する端末は、基地局と信号を送受信するための送受信部と、送受信部と接続されたプロセッサと、を含み、プロセッサは、基地局から２つ以上のコードワードのそれぞれに対するＭＣＳ（Ｍｏｄｕｌａｔｉｏｎ  ａｎｄ  Ｃｏｄｉｎｇ  Ｓｃｈｅｍｅ）情報を受信し、ＭＣＳ情報に基づいてＰＴＲＳ（Ｐｈａｓｅ  Ｔｒａｃｋｉｎｇ  Ｒｅｆｅｒｅｎｃｅ  Ｓｉｇｎａｌ）アンテナポートがマッピングされたＤＭＲＳ（ＤｅＭｏｄｕｌａｔｉｏｎ  Ｒｅｆｅｒｅｎｃｅ  Ｓｉｇｎａｌ）アンテナポートを決定し、ＤＭＲＳアンテナポートに基づいてＰＴＲＳを受信し、ＤＭＲＳアンテナポートは、２つ以上のコードワードのうち、より高いＭＣＳを有するコードワードに含まれる１つ以上のＤＭＲＳアンテナポートのうち最低のインデックスを有するＤＭＲＳアンテナポートと決定されることができる。
【発明の効果】
【００１６】
本発明は、無線通信システムにおいて端末の位相雑音除去手順を改善することで、受信信号の正確なデコーディングを可能にすることができる。
【００１７】
本発明は、位相雑音除去のための信号送信の効率を改善する方法を提供することができる。
【００１８】
本発明は、位相雑音除去のための信号送信に関する情報を提供して、受信側の動作を改善することができる。
【００１９】
本発明は、ＰＴＲＳの割り当て方法を提供することができる。
【００２０】
本発明は、位相雑音に対する補償及び参照信号のオーバーヘッドを考慮して、位相雑音除去のための信号を送信する方法を提供することができる。
【００２１】
本発明の実施例から得られる効果は、以上で言及した効果に限定されず、言及していない別の効果は、以下の本発明の実施例に関する記載から、本発明の属する技術の分野における通常の知識を有する者に明確に理解されるであろう。
【図面の簡単な説明】
【００２２】
以下に添付する図面は、本発明に関する理解を助けるために詳細な説明の一部として含まれるものであり、本発明に関する実施例を提供し、詳細な説明と共に本発明の技術的思想を説明する。
【図１】本発明の一実施例による端末がレイヤーインデックスを送信する方法を説明するための図である。
【図２】本発明の一実施例による端末がＰＴＲＳを受信する方法を説明するための図である。
【図３】ＰＴＲＳポートがＤＭＲＳポートにマッチングされる方法を示す図である。
【図４】ＰＴＲＳポートがＤＭＲＳポートにマッチングされる方法を示す図である。
【図５】本発明の一実施例による端末及び基地局の構成を示す図である。
【発明を実施するための形態】
【００２３】
本発明で使う用語は本発明における機能を考慮してできるだけ現在広く使われる一般的な用語を選択したが、これは当該分野の技術者の意図又は判例、新技術の出現などによって変わることもある。また、特定の場合は出願人が任意に選定した用語もあり、この場合、該当の発明の説明部で詳細にその意味を記載する。したがって、本発明で使う用語は単純な用語の名称ではなくて、その用語が有する意味と本発明の全般的な内容に基づいて定義されなければならない。
【００２４】
以下の実施例は本発明の構成要素及び特徴を所定の形態に結合したものである。それぞれの構成要素又は特徴は別途の明示的言及がない限り選択的なものと見なすことができる。それぞれの構成要素又は特徴は他の構成要素又は特徴と結合しなかった形態に実施可能である。また、一部の構成要素及び／又は特徴を結合して本発明の実施例を構成することもできる。本発明の実施例で説明する動作の順序は変更可能である。一実施例の一部の構成又は特徴は他の実施例に含まれることができ、あるいは他の実施例の対応する構成又は特徴に取り替えられることができる。
【００２５】
図面の説明において、本発明の要旨を曖昧にするような過程又は段階などは記述しなく、当業者の水準で理解可能な程度の過程又は段階も記述しなかった。
【００２６】
明細書全体を通じて、ある部分がある構成要素を「含む（ｃｏｍｐｒｉｓｉｎｇ又はｉｎｃｌｕｄｉｎｇ）」というとき、これは、別に反対の記載がない限り、他の構成要素を除外するものではなく、他の構成要素をさらに含み得ることを意味する。また、明細書でいう「…部」、「…機」、「モジュール」などの用語は、少なくとも１つの機能や動作を処理する単位を意味し、これは、ハードウェア、ソフトウェア、又はハードウェア及びソフトウェアの結合によって実装することができる。また、「ある（ａ又はａｎ）」、「１つ（ｏｎｅ）」、「その（ｔｈｅ）」及び類似の関連語は、本発明を記述する文脈において（特に、以下の請求項の文脈において）本明細書に別に指示されたり文脈によって明らかに反駁されない限り、単数及び複数の両方を含む意味で使うことができる。
【００２７】
本明細書において本発明の実施例は基地局と移動局との間のデータ送受信関係を中心に説明される。ここで、基地局は、移動局と通信を直接行うネットワークの終端ノード（ｔｅｒｍｉｎａｌ  ｎｏｄｅ）としての意味を有する。本文書において基地局によって行われるとされている特定動作は、場合によっては、基地局の上位ノード（ｕｐｐｅｒ  ｎｏｄｅ）によって行われてもよい。
【００２８】
すなわち、基地局を含む複数のネットワークノード（ｎｅｔｗｏｒｋ  ｎｏｄｅ）からなるネットワークにおいて、移動局との通信のために行われる様々な動作は、基地局、又は基地局以外の他のネットワークノードで行うことができる。このとき、「基地局」は、固定局（ｆｉｘｅｄ  ｓｔａｔｉｏｎ）、Ｎｏｄｅ  Ｂ、ｅＮｏｄｅ  Ｂ（ｅＮＢ）、発展した基地局（Ａｄｖａｎｃｅｄ  Ｂａｓｅ  Ｓｔａｔｉｏｎ， ＡＢＳ）、又はアクセスポイント（ａｃｃｅｓｓ  ｐｏｉｎｔ）などの用語に言い換えることができる。
【００２９】
また、「移動局（Ｍｏｂｉｌｅ  Ｓｔａｔｉｏｎ，ＭＳ）」は、ＵＥ（Ｕｓｅｒ  Ｅｑｕｉｐｍｅｎｔ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、発展した移動端末（Ａｄｖａｎｃｅｄ  Ｍｏｂｉｌｅ  Ｓｔａｔｉｏｎ，ＡＭＳ）、端末（Ｔｅｒｍｉｎａｌ）又はステーション（ＳＴＡｔｉｏｎ，ＳＴＡ）などの用語に言い換えることができる。
【００３０】
また、送信端はデータサービス又は音声サービスを提供する固定及び／又は移動ノードを意味し、受信端はデータサービス又は音声サービスを受信する固定及び／又は移動ノードを意味する。したがって、上りリンクでは移動局を送信端にし、基地局を受信端にすることができる。同様に、下りリンクでは移動局を受信端にし、基地局を送信端にすることができる。
【００３１】
また、デバイスが「セル」と通信を行うとは、デバイスが当該セルの基地局と信号を送受信することを意味することができる。すなわち、デバイスが信号を送信して受信する実質的な対象は特定の基地局であってもよいが、記載の便宜のために、特定の基地局によって形成されるセルと信号を送受信すると記載されてもよい。同様に、「マクロセル」及び／又は「スモールセル」という記載はそれぞれ、特定のカバレッジ（ｃｏｖｅｒａｇｅ）を意味してもよく、また「マクロセルを支援するマクロ基地局」及び／又は「スモールセルを支援するスモールセル基地局」を意味してもよい。
【００３２】
本発明の実施例は、無線接続システムであるＩＥＥＥ  ８０２．ｘｘシステム、３ＧＰＰシステム、３ＧＰＰ  ＬＴＥシステム及び３ＧＰＰ２システムのうち少なくとも１つに開示されている標準文書によって裏付けられることができる。すなわち、本発明の実施例のうち、説明していない自明な段階又は部分は、上記文書を参照して説明することができる。
【００３３】
また、本文書で開示する全ての用語は上記標準文書によって説明することができる。特に、本発明の実施例は、ＩＥＥＥ  ８０２．１６システムの標準文書であるＰ８０２．１６ｅ−２００４、Ｐ８０２．１６ｅ−２００５、Ｐ８０２．１６．１、Ｐ８０２．１６ｐ及びＰ８０２．１６．１ｂ標準文書のうち一つ以上によって裏付けられることができる。
【００３４】
以下、本発明による好適な実施例を添付図面に基づいて詳細に説明する。添付図面と一緒に以下に開示する詳細な説明は本発明の例示的実施形態を説明するためのものであり、本発明を実施することができる唯一の実施形態を示そうとするものではない。
【００３５】
また、本発明の実施例で使う特定用語は本発明の理解を助けるために提供するもので、このような特定用語の使用は本発明の技術的思想を逸脱しない範囲内で他の形態に変更可能である。
【００３６】
一例として、全てのレイヤーは同一のＣＰＥ（Ｃｏｍｍｏｎ  Ｐｈａｓｅ  Ｅｒｒｏｒ）を有することができる。この場合、基地局は基地局に設定された複数のレイヤーのうちいずれのレイヤーからもＰＴＲＳ（Ｐｈａｓｅ  Ｔｒａｃｋｉｎｇ  Ｒｅｆｅｒｅｎｃｅ  Ｓｉｇｎａｌ）を送信することができる。但し、レイヤーごとに受信の品質（ｅ．ｇ．ＳＮＲ  ｏｒ  ＳＩＮＲ）が異なり得る。この場合、基地局が最良の品質を有するレイヤー（又は、ＤＭＲＳ  ｐｏｒｔ）を介してＰＴＲＳを送信することで、端末の推定性能を向上させることができる。一例として、ＰＴＲＳアンテナポートは、１つのＤＭＲＳアンテナポートグループにおいて１つのＤＭＲＳポートとマッピングされることができる。このとき、ＰＴＲＳアンテナポートが最良のチャネル品質を有するＤＭＲＳアンテナポート（又は、ｐｒｅｃｏｄｉｎｇ）とマッピングされる場合、ＣＰＥ（Ｃｏｍｍｏｎ  Ｐｈａｓｅ  Ｅｒｒｏｒ）推定性能を向上させることができる。しかし、このためには、別途のシグナリングが定義されなければならない。一方、コードワード（ＣＷ）ごとにＭＣＳが定義されることによって、基地局／端末はいずれのコードワードが良い品質を有しているのかを分かることができる。このようなコードワードの特徴を利用すれば、最良のチャネル品質を有するＤＭＲＳアンテナポート（又は、ｐｒｅｃｏｄｉｎｇ）を指示するのに必要なシグナリングのオーバーヘッドを減らすことができる。
【００３７】
一例として、下りリンクの場合、端末はコードワード単位（又は、レイヤーグループ単位）でＣＱＩを報告することができる。コードワードは１つ以上のレイヤーからなる。例えば、ＮＲ（Ｎｅｗ  Ｒａｄｉｏ）は、最大２つのコードワード（ＣＷ）を許容して、各コードワードの最大のレイヤー数は４である。一例として、５つのレイヤーが設定された場合、ＣＷ＃０は２つのレイヤー、ＣＷ＃１は３つのレイヤーを有することができる。
【００３８】
別の例として、この２つのコードワードは１つのＤＭＲＳ（アンテナ）ポートグループに属することができる。或いは、１つのコードワードが２つのＤＭＲＳアンテナポートグループを有してもよい。すなわち、レイヤーグループとＤＭＲＳアンテナポートグループは、互いに独立して定義されることができる。
【００３９】
一例として、１つのＤＭＲＳアンテナポートグループが２つのコードワードを有する場合、基地局はコードワード単位でＣＱＩを受信することで、いずれのコードワードが良い品質を有するかが分かる。仮に、基地局が良い品質を有するコードワードに属したＤＭＲＳアンテナポートのうち１つにＰＴＲＳアンテナポートをマッピングする場合、ＣＰＥ推定性能を向上させることができる。一方、端末はコードワードのＭＣＳを確認した後、基地局がＰＴＲＳマッピングのために選択したコードワードを知ることができる。しかし、端末はコードワード内のいずれのＤＭＲＳアンテナポートとＰＴＲＳアンテナポートがマッピングされているかを知ることはできない。このために、以下の方法が考えられる。
【００４０】
別の例として、２つ以上のコードワードに含まれる全てのＤＭＲＳアンテナポートが２つ以上のＤＭＲＳアンテナポートグループに含まれ、ＰＴＲＳアンテナポートの数が１である場合、ＤＭＲＳアンテナポートは、２つ以上のコードワードのうち、より高いＭＣＳを有するコードワードに含まれるＤＭＲＳアンテナポートグループに含まれる１つ以上のＤＭＲＳアンテナポートのうち最低のインデックスを有するＤＭＲＳアンテナポートと決定されることができる。
【００４１】
図１は、本発明の一実施例による端末がレイヤーインデックスを送信する方法を説明するための図である。
【００４２】
図１を参照すると、端末は複数のレイヤー（ｌａｙｅｒ）を２つ以上のレイヤーグループにグルーピングすることができる（Ｓ１１０）。例えば、ＬＴＥ及びＮＲの場合、最大２つのレイヤーグループ（又は、コードワード）を許容することができる。この後、端末は２つ以上のレイヤーグループ（又は、コードワード）のそれぞれに対するＣＱＩ（Ｃｈａｎｎｅｌ  Ｑｕａｌｉｔｙ  Ｉｎｆｏｒｍａｔｉｏｎ）を基地局に送信することができる（Ｓ１２０）。従来の商用通信システム（ｅ．ｇ．ＬＴＥ，ＮＲ）における端末は、レイヤーをグルーピングし、各グループに互いに異なるＣＱＩを定義している。また、端末は基地局に前記ＣＱＩを報告することができる。このとき、ＣＱＩ報告は、基地局に、いずれのレイヤーグループが他のレイヤーグループに比べて高い品質であるかを知らせる。
【００４３】
この後、端末は２つ以上のレイヤーグループのうち、より大きいＣＱＩを有するレイヤーグループに含まれる１つ以上のレイヤーのうちチャネル品質が最良のレイヤーのレイヤーインデックスを基地局に送信することができる（Ｓ１３０）。
【００４４】
一例として、端末はＣＱＩが最高のレイヤーグループ内において最良の品質を有するレイヤーを選択して基地局に報告することができる。この場合、端末は最良のレイヤーを報告するために必要なオーバーヘッドを減らすことができる。一例として、ｒａｎｋ＝７である場合、２つのレイヤーグループが定義されることができ、それぞれのレイヤーグループは、３つのレイヤー及び４つのレイヤーを有することができる。このとき、１番目のレイヤーグループのＣＱＩが２番目のレイヤーグループのＱＣＩより高い場合、１番目のレイヤーグループにおいて最良のレイヤーを選択すればよい。このとき、それぞれのレイヤーグループに含まれるレイヤーのレイヤーインデックスは、レイヤーグループごとに０から始まることができる。よって、７つのレイヤーのうち最良のレイヤーを報告するためには、３ｂｉｔのオーバーヘッドが必要となるが、ＣＱＩを用いる場合には、２ｂｉｔのオーバーヘッドが必要となる。すなわち、１ｂｉｔのオーバーヘッドを減少させることができる。結果として、端末が最良の品質を有するレイヤーを送信機に報告するとき、ＣＱＩ情報を利用すれば、オーバーヘッドを減少させることができる。
【００４５】
図２は、本発明の一実施例による端末がＰＴＲＳを受信する方法を説明するための図である。
【００４６】
図２を参照すると、端末は基地局から２つ以上のコードワードのそれぞれに対するＭＣＳ（Ｍｏｄｕｌａｔｉｏｎ  ａｎｄ  Ｃｏｄｉｎｇ  Ｓｃｈｅｍｅ）情報を受信することができる（Ｓ２１０）。例えば、ＬＴＥ及びＮＲの場合、最大２つのレイヤーグループ（又は、コードワード）を許容することができる。
【００４７】
一例として、基地局はレイヤーグループのそれぞれに対するＣＱＩに基づいてＭＣＳを決定することができる。このとき、ＣＱＩに基づくとは、基地局がレイヤーグループのそれぞれに対するＣＱＩを用いてＭＳＣを決定することを意味するが、基地局がレイヤーグループのそれぞれに対するＣＱＩとは関係なくＭＳＣを決定することを含んでもよい。
【００４８】
基地局がレイヤーグループのそれぞれに対するＣＱＩを用いてＭＳＣを決定する場合、基地局は最良のＣＱＩを有するレイヤーグループ（又は、コードワード）に属した複数のレイヤーとＰＴＲＳアンテナポートが対応するように、ＤＭＲＳアンテナポートとＰＴＲＳアンテナポートをマッピングすることができる。
【００４９】
一例として、８レイヤー送信において、第１のコードワードと第２のコードワードが定義され、第１のコードワードは＃１〜＃４のＤＭＲＳアンテナポート、第２のコードワードは＃５〜＃８のＤＭＲＳアンテナポートとマッピングされていると仮定することができる。このとき、第１のコードワードのＣＱＩが第２のコードワードよりも良い場合、＃１〜＃４のＤＭＲＳアンテナポートが＃１１〜＃１４のＰＴＲＳアンテナポートと対応することができる。また、＃１１〜＃１４のＰＴＲＳアンテナポートは、周波数軸において交互に送信されてもよい。或いは、第２のコードワードのＣＱＩが第１のコードワードよりも良い場合、＃５〜＃８のＤＭＲＳアンテナポートが＃１１〜＃１４のＰＴＲＳアンテナポートと対応することができる。
【００５０】
別の例として、２つのコードワードが同一のＣＱＩを有する場合、端末は常に特定のコードワード（ｅ．ｇ．第１のコードワード）を優先して用いることができる。また別の例として、より多いレイヤー数が定義されたコードワードを選択することができる。この場合、相対的に大きい空間ダイバーシティ（ｓｐａｔｉａｌ  ｄｉｖｅｒｓｉｔｙ）を期待することができる。一方、＃１１〜＃１４のＰＴＲＳアンテナポートのうち一部のみが選択されて周波数軸において交互に送信されてもよい。一例として、ＲＲＣに使用可能なＰＴＲＳアンテナポートの数が２となっている場合、＃１１〜＃１２のＰＴＲＳアンテナポートのみが周波数軸において交互に送信する。
【００５１】
換言すれば、基地局はレイヤーをグルービングし、各グループに異なるＭＣＳを定義することができる。このとき、基地局はレイヤーグルービング及び各レイヤーグループのＭＣＳを端末が報告したレイヤーグルービング情報及びＣＱＩを参考して決定することができる。このとき、基地局は端末が報告したグルービング情報及びＣＱＩをそのまま用いることができるが、これを保証しない。同様に、基地局は端末が推奨した最良のレイヤーによってＰＴＲＳを送信しなくてもよい。
【００５２】
基地局はレイヤーを送信するとき、各レイヤーにＤＭＲＳアンテナポートを定義することができる。よって、この場合、ＰＴＲＳアンテナポートはレイヤーとマッピングされると表現することができ、より好ましくは、ＰＴＲＳアンテナポートとＤＭＲＳアンテナポートがマッピングされると表現することができる。このとき、ＰＴＲＳアンテナポートとＤＭＲＳアンテナポートがマッピングされるとは、ＰＴＲＳアンテナポートがマッピングされたＤＭＲＳアンテナポートと同一のプリコーダ（ｐｒｅｃｏｄｅｒ）を有することを意味することができる。また、ＰＴＲＳアンテナポートはマッピングされたＤＭＲＳアンテナポートと同一の周波数位置に位置することができる。このとき、プリコーダのサイズ（ｅ．ｇ．ｎｏｒｍ  ２）は異なってもよく、同一であってもよい。
【００５３】
端末は、上述のように、ＰＴＲＳアンテナポートがマッピングされたＤＭＲＳアンテナポートを決定することができる（Ｓ２２０）。
【００５４】
一例として、端末はＰＴＲＳ（Ｐｈａｓｅ  Ｔｒａｃｋｉｎｇ  Ｒｅｆｅｒｅｎｃｅ  Ｓｉｇｎａｌ）が送信されるアンテナポートを決定することができる。
【００５５】
例えば、基地局が送信するＰＴＲＳを最良の品質を有するＤＭＲＳアンテナポート（又は、レイヤー）とマッピングする場合、基地局はＰＴＲＳアンテナポートとマッピングされたＤＭＲＳアンテナポートを端末に明示的に知らせることができる。このとき、基地局が送信するＰＴＲＳアンテナポートが高いＭＣＳを有するコードワードに属したＤＭＲＳアンテナポートグループのうち１つとマッピングされることを仮定した場合、シグナリングに必要なオーバーヘッドを減らすことができる。
【００５６】
例えば、ｒａｎｋ＝７である場合、２つのコードワードが定義されることができ、それぞれ３つのＤＭＲＳアンテナポート及び４つのＤＭＲＳアンテナポートを有することができる。このとき、１番目のコードワードのＭＣＳが２番目のコードワードのＭＣＳよりも高い場合、１番目のコードワードに属したＤＭＲＳアンテナポートのうち最良の品質を有するＤＭＲＳアンテナポートを選択すればよい。よって、７つのＤＭＲＳアンテナポートグループのうち最良の品質を有するＤＭＲＳアンテナポートインデックスを知らせるためには、３ｂｉｔのオーバーヘッドが必要であるが、ＭＣＳを用いる場合、２ｂｉｔのオーバーヘッドが必要となる。すなわち、１ｂｉｔのオーバーヘッドを減少させることができる。結果として、基地局が端末にＰＴＲＳアンテナポートがマッピングされたＤＭＲＳアンテナポートインデックスを指示するとき、ＭＣＳ情報を用いてオーバーヘッドを減少させることができる。
【００５７】
別の例として、２つ以上のコードワードのそれぞれに対するＭＣＳが同一である場合、アンテナポートインデックスは、アンテナポートグループのうち最低のインデックスを有するコードワード（ｅ．ｇ．ＣＷ＃０）に含まれるアンテナポートを指示することができる。
【００５８】
別の例として、ＰＴＲＳはコードワードのうちより高いＭＣＳを有するコードワードに含まれるアンテナポートのうち最低のインデックスを有するアンテナポートを介して受信されることができる。
【００５９】
例えば、端末が２つのコードワードでスケジューリングされる場合、ＰＴＲＳアンテナポートはより高いＭＣＳを有するコードワードに対して割り当てられたＤＭＲＳアンテナポートのうち最低のインデックスのＤＭＲＳアンテナポートと関連（ａｓｓｏｃｉａｔｅｄ  ｗｉｔｈ）してもよい。２つのコードワードのＭＣＳが同一である場合、ＰＴＲＳアンテナポートはコードワード０に割り当てられた最低のインデックスのＤＭＲＳアンテナポートと関連してもよい。或いは、２つのコードワードのＭＣＳが同一である場合、ＰＴＲＳアンテナポートは２つのコードワードに含まれた全てのＤＭＲＳアンテナポートのうち最低のインデックスのＤＭＲＳアンテナポートと関連してもよい。
【００６０】
別の例として、端末が２つのコードワードでスケジューリングされる場合、ＰＴＲＳアンテナポートはより高いＭＣＳを有するコードワードに対して割り当てられたＤＭＲＳアンテナポートのうち最高のインデックスのＤＭＲＳアンテナポートと関連してもよい。また、２つのコードワードのＭＣＳインデックスが同一である場合、ＰＴＲＳアンテナポートは、コードワード０に割り当てられた最高のインデックスのＤＭＲＳアンテナポートと関連してもよい。或いは、２つのコードワードのＭＣＳが同一である場合、ＰＴＲＳアンテナポートは、２つのコードワードに含まれた全てのＤＭＲＳアンテナポートのうち最高のインデックスのＤＭＲＳアンテナポートと関連してもよい。
【００６１】
一方、ＰＴＲＳアンテナポートとＤＭＲＳアンテナポートグループと（１：Ｍ（＞＝１））が関連（ａｓｓｏｃｉａｔｅｄ  ｗｉｔｈ）しているとは、ＰＴＲＳアンテナポートを用いて算出したＣＰＥ（Ｃｏｍｍｏｎ  Ｐｈａｓｅ  Ｅｒｒｏｒ）又は位相変位に対する推定値をＤＭＲＳアンテナポートグループに属した全てのＤＭＲＳアンテナポートグループに適用可能であることを意味することができる。また、ＰＴＲＳアンテナポートとＤＭＲＳアンテナポートと（１：１）が関連（ａｓｓｏｃｉａｔｅｄ  ｗｉｔｈ）しているとは、ＰＴＲＳアンテナポートがＤＭＲＳアンテナポートと同一のプリコーダ（ｐｒｅｃｏｄｅｒ）を用いて、同一の周波数位置に定義されることを意味することができる。
【００６２】
２つ以上のコードワードに含まれる全てのＤＭＲＳアンテナポートは、１つのＤＭＲＳアンテナポートグループに含まれるか、２つ以上のＤＭＲＳアンテナポートグループに含まれることができる。一例として、２つ以上のコードワードに含まれる全てのＤＭＲＳアンテナポートが２つ以上のＤＭＲＳアンテナポートグループに含まれる場合、ＰＴＲＳアンテナポートの数は、２つ以上のＤＭＲＳアンテナポートグループの数よりも小さいか同一であってもよい。
【００６３】
例えば、ＤＭＲＳアンテナポートグループが１つであり、コードワードが１つ又は２つである場合、１つのＰＴＲＳアンテナポートが定義されることができる。この場合、上述した実施例が適用されることができる。一方、ＤＭＲＳアンテナポートグループが２つであり、コードワードが１つ又は２つである場合、２つのＰＴＲＳアンテナポートが定義されることができる。ＰＴ−ＲＳポート数は、ＤＭＲＳアンテナポートグループの数より小さいか同一であってもよい。このとき、コードワードの数は、ＰＴＲＳアンテナポートの数に影響を及ぼさない。この場合、２つのＰＴＲＳアンテナポートは、２つのＤＭＲＳアンテナポートグループのそれぞれのＤＭＲＳポートのうちいずれか１つにマッピングされることができる。一例として、２つのＰＴＲＳアンテナポートは、２つのＤＭＲＳアンテナポートグループのそれぞれのＤＭＲＳポートのうち最低のインデックスのＤＭＲＳアンテナポートとそれぞれ関連（ａｓｓｏｃｉａｔｅｄ  ｗｉｔｈ）してもよい。
【００６４】
また、端末は基地局からＰＴＲＳアンテナポートの数に関する情報を受信することができる。
【００６５】
基地局はＰＴＲＳアンテナポートを送信するときに割り当てられたＤＭＲＳアンテナポートのうち最低のインデックスを有するＤＭＲＳアンテナポートとマッピングされることができる。これは、基地局が端末に報告した最良の品質を有するレイヤーに最低のインデックスを有するＤＭＲＳアンテナポートを与えることによって実装することができる。この場合、基地局は端末にＰＴＲＳアンテナポートがマッピングされたＤＭＲＳアンテナポートを明示的に知らせる必要がなくなる。
【００６６】
一方、基地局が２つのコードワードを端末に送信する場合、それぞれのコードワードに１つ以上のＤＭＲＳアンテナポートが定義されることができる。一例として、ｒａｎｋ＝７である場合、コードワード＃０がＤＭＲＳアンテナポート＃０，＃１，＃２を有して、コードワード＃１がＤＭＲＳアンテナポート＃３，＃４，＃５，＃６を有する。仮に、それぞれのコードワードのＭＣＳと関係なく最低のインデックスを有するＤＭＲＳアンテナポートとＰＴＲＳアンテナポートがマッピングされる場合、次のような問題が発生する可能性がある。一例として、コードワード＃０のＭＣＳがコードワード＃１のＭＣＳより低い場合、上述したマッピング方式では、ＭＣＳが低いＤＭＲＳアンテナポートとＰＴＲＳアンテナポートをマッピングすることになる。このようなマッピング方式の問題点を解消するためには、ＰＴＲＳアンテナポートは、ＭＣＳの高いＤＭＲＳアンテナポートグループにおいて最低のインデックスを有するＤＭＲＳアンテナポートとマッピングされなければならない。
【００６７】
例えば、端末がコードワード＃０の＃３番目のカラム（ｃｏｌｕｍｎ）を報告したと仮定する場合、基地局は３番目のカラムの位置を１番目のカラムの位置とスイッチすることができる。すなわち、１番目（ｐｒｅｃｏｄｉｎｇ）と対応するＤＭＲＳアンテナポートは最良の品質を有することができる。よって、基地局はＰＴＲＳアンテナポートを常に１番目のカラム（ｐｒｅｃｏｄｉｎｇ）と対応するＤＭＲＳポートとマッピングすることができる。この場合、基地局は端末にＰＴＲＳアンテナポートがマッピングされたＤＭＲＳアンテナポートを別として知らせる必要がない。
【００６８】
この後、端末は決定されたＤＭＲＳアンテナポートに基づいてＰＴＲＳを受信することができる（Ｓ２３０）。
【００６９】
図３及び図４は、ＰＴＲＳポートがＤＭＲＳポートにマッチングされる方法を示す図である。
【００７０】
図３を参照すると、１つのコードワードにおいてＰＴＲＳはＤＭＲＳアンテナポートグループの最小のインデックスを有するＤＭＲＳアンテナポートと関連されてもよい。一例として、図３において、ＤＭＲＳアンテナポートグループがＤＭＲＳアンテナポート＃０／＃１／＃２である場合、ＰＴＲＳアンテナポートはＤＭＲＳアンテナポート＃０と関連されてもよい。但し、上述のように、２つのコードワードが適用される場合、ＰＴＲＳをいずれのＤＭＲＳポートとマッチングするかを決定する必要がある。一例として、１番目のコードワード（ＣＷ＃０）がＤＭＲＳポート｛＃０，＃１｝に対応し、２番目のコードワード（ＣＷ＃１）が｛＃２，＃３，＃４｝に対応する場合が考えられる。このとき、一例として、ＰＴＲＳがより高いＭＣＳを有するコードワードに属したＤＭＲＳアンテナポートとマッチングされる場合、より良い性能が期待できる。すなわち、ＭＣＳがより高いコードワードに属したＤＭＲＳアンテナポートとマッチングされる必要がある。このとき、基地局（ｅ．ｇ．ｇＮＢ）は、端末が報告したＣＱＩに基づいてＰＴＲＳとマッピング可能なコードワードを選択することができる。このとき、ＣＰＥ性能向上に対する更なるゲインを考慮すれば、以下の数式１のようである。
【００７１】
［数式１］
Ａｄｄｉｔｉｏｎａｌ  ｇａｉｎ  ＝  １．８ｄＢ  ×  ２つのＣＷのＣＱＩの差
【００７２】
このとき、また別の一例として、図４を参照すると、２つのコードワードが用いられる場合が考えられる。このとき、一例として、２つのコードワードが用いられる場合は、端末がランク５以上を割り当てられた場合であり得る。このとき、ＰＴＲＳは最高のＭＣＳを有するコードワードの最低のインデックスを有するＤＭＲＳアンテナポートと関連されてもよい。
【００７３】
一例として、図４を参照すると、１番目のコードワード（ＣＷ＃０）はＤＭＲＳアンテナポート｛＃０，＃１｝とマッチングされることができる。また、２番目のコードワード（ＣＷ＃１）はＤＭＲＳアンテナポート｛＃２，＃３，＃４｝とマッチングされることができる。
【００７４】
このとき、２番目のコードワードのＭＣＳが１番目のコードワードのＭＣＳよりも高い場合（ＣＱＩがより高い場合）、ＰＴＲＳポートは２番目のコードワードの最低のインデックスを有するＤＭＲＳアンテナポートと関連してもよい。すなわち、上述のように、ＤＭＲＳアンテナポート＃２と関連してもよい。これによって、別途のシグナリングオーバーヘッドなく、ＰＴＲＳに基づいてＣＰＥ推定性能を向上させることができる。
【００７５】
また、一例として、下りリンクを考慮すると、端末が特定のコードワードにおいて最良のレイヤーを報告することができる。このとき、下りリンクＰＴＲＳはＣＱＩの高いコードワードに対応するレイヤーを選択して基地局に報告することで、報告されるビットを減らすことができる。一例として、ＵＣＩ（Ｕｐｌｉｎｋ  Ｃｏｎｔｒｏｌ  Ｉｎｆｏｒｍａｔｉｏｎ）フィードバックビットが３ビットから２ビットに減ることができる。
【００７６】
また、上りリンクの観点からも、端末が上りリンクＰＴＲＳを最良のレイヤーを用いて基地局に送信できる場合が考えられる。基地局は上りリンクＰＴＲＳを送信するレイヤーを端末にＤＣＩによって知らせることができる。このとき、上述のように、ＭＣＳが高いコードワードに対応するレイヤーが選択されることによって、ＤＣＩの当該フィールドに対するビットが減ることができるが、上述した実施例に限定されない。
【００７７】
図５は、本発明の一実施例による端末及び基地局の構成を示す図である。図５において、端末１００及び基地局２００は、それぞれ無線周波数（ＲＦ）ユニット１１０，２１０、プロセッサ１２０，２２０及びメモリ１３０，２３０を含むことができる。図５では、端末１００と基地局２００との１：１の通信環境のみを示したが、複数の端末と複数の基地局との通信環境を構築することもできる。また、図５に示された基地局２００は、マクロセル基地局とスモールセル基地局のいずれにも適用できる。
【００７８】
ＲＦユニット１１０，２１０は、それぞれ、送信部１１２，２１２及び受信部１１４，２１４を含むことができる。端末１００の送信部１１２及び受信部１１４は、基地局２００及び他の端末と信号を送信及び受信するように構成され、プロセッサ１２０は送信部１１２及び受信部１１４と機能的に接続されて、送信部１１２及び受信部１１４が他の機器と信号を送受信する過程を制御するように構成されることができる。また、プロセッサ１２０は送信する信号に対する各種の処理を行った後、送信部１１２に送信して、受信部１１４が受信した信号に対する処理を行う。
【００７９】
必要に応じて、プロセッサ１２０は交換されたメッセージに含まれた情報をメモリ１３０に記憶することができる。このような構造により、端末１００は、前述した本発明の様々な実施の形態の方法を実行することができる。
【００８０】
基地局２００の送信部２１２及び受信部２１４は、他の基地局及び端末と信号を送信及び受信するように構成され、プロセッサ２２０は、送信部２１２及び受信部２１４と機能的に接続して送信部２１２及び受信部２１４が他の機器と信号を送受信する過程を制御するように構成されることができる。また、プロセッサ２２０は、送信する信号に対する各種の処理を行った後に送信部２１２に送信し、受信部２１４が受信した信号に対する処理を行うことができる。必要に応じて、プロセッサ２２０は、交換されたメッセージに含まれた情報をメモリ２３０に記憶させることができる。このような構造により、基地局２００は、前述した様々な実施の形態の方法を実行することができる。
【００８１】
端末１００及び基地局２００のプロセッサ１２０，２２０はそれぞれ、端末１００及び基地局２００における動作を指示（例えば、制御、調整、管理など）する。それぞれのプロセッサ１２０，２２０は、プログラムコード及びデータを格納するメモリ１３０，２３０と接続してもよい。メモリ１３０，２３０は、プロセッサ１２０，２２０に接続して、オペレーティングシステム、アプリケーション、及び一般ファイル（ｇｅｎｅｒａｌ  ｆｉｌｅｓ）を格納する。
【００８２】
本発明のプロセッサ１２０，２２０は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などとも呼ばれる。一方、プロセッサ１２０，２２０は、ハードウェア（ｈａｒｄｗａｒｅ）又はファームウェア（ｆｉｒｍｗａｒｅ）、ソフトウェア、又はこれらの結合によって実装されてもよい。
【００８３】
ハードウェアによる実装の場合、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ１２０，２２０に備えられてもよい。
【００８４】
ファームウェアやソフトウェアによる実装では、本発明の一実施例による方法は、以上で説明された機能又は動作を実行するモジュール、手順、関数などの形態で実装されてもよい。ソフトウェアコードは、メモリユニットに格納され、プロセッサによって駆動可能である。メモリユニットは、プロセッサの内部又は外部に設けられ、既知の様々な手段によってプロセッサとデータを交換することができる。
【００８５】
上述したように開示された本発明の好ましい実施の形態に関する詳細な説明は、当業者が本発明を実装し実施できるように提供された。以上では本発明の好ましい実施の形態を参照して説明したが、当該技術の分野における熟練した当業者は、下記の特許請求の範囲に記載された本発明の思想及び領域から逸脱しない範囲内で、本発明を様々に修正及び変更できることが理解できる。したがって、本発明は、ここに表した実施の形態に制限されるものではなく、ここに開示された原理及び新規な特徴と一致する最も広い範囲を付与しようとするものである。また、以上では本明細書の好ましい実施例について図示及び説明したが、本明細書は、上述した特定の実施例に限定されず、特許請求の範囲で請求する本明細書の要旨から逸脱することなく、当該発明の属する技術の分野における通常の知識を有する者にとって様々な変形実施が可能であることは勿論、それらの変形実施は本明細書の技術的思想や展望から離れて理解されてはならない。
【００８６】
また、当該明細書では、物の発明及び方法の発明が両方説明されており、必要に応じて両発明の説明は補充的に適用されてもよい。
【産業上の利用可能性】
【００８７】
上述した内容は、３ＧＰＰ  ＬＴＥ、ＬＴＥ−Ａシステムのみならず、その他にもＩＥＥＥ  ８０２．１６ｘ、８０２．１１ｘシステムを含む様々な無線通信システムに適用することができる。さらに、提案した方法は、超高周波帯域を用いるｍｍＷａｖｅ通信システムに適用することもできる。
【図１】
2019535213.tif 000003
【図２】
2019535213.tif 000004
【図３】
2019535213.tif 000005
【図４】
2019535213.tif 000006
【図５】
2019535213.tif 000007
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
無線通信システムにおいて、端末を動作させる方法であって、
基地局から２つのコードワードのそれぞれに対するＭＣＳ（Ｍｏｄｕｌａｔｉｏｎ  ａｎｄ  Ｃｏｄｉｎｇ  Ｓｃｈｅｍｅ）情報を受信するステップと、
前記ＭＣＳ情報に基づいて、ＰＴＲＳ（Ｐｈａｓｅ  Ｔｒａｃｋｉｎｇ  Ｒｅｆｅｒｅｎｃｅ  Ｓｉｇｎａｌ）アンテナポートと、前記２つのコードワードのための複数のＤＭＲＳ（ＤｅＭｏｄｕｌａｔｉｏｎ  Ｒｅｆｅｒｅｎｃｅ  Ｓｉｇｎａｌ）アンテナポートのうちのＤＭＲＳアンテナポートとの間の関連を決定するステップと、
前記ＰＴＲＳアンテナポートに基づいて、ＰＴＲＳを受信するステップと、を含み、
前記ＰＴＲＳアンテナポートは、前記２つのコードワードのうち、より高いＭＣＳを有するコードワードのための前記複数のＤＭＲＳアンテナポートのうちの１つ以上のＤＭＲＳアンテナポートのうち最低のインデックスを有するＤＭＲＳアンテナポートと関連付けられる、方法。
【請求項２】
前記２つのコードワードが同一のＭＣＳを有する場合、前記ＰＴＲＳアンテナポートは、前記２つのコードワードのための前記複数のＤＭＲＳアンテナポートのうち最低のインデックスを有するＤＭＲＳアンテナポートと関連付けられる、請求項１に記載の方法。
【請求項３】
前記２つのコードワードのための全てのＤＭＲＳアンテナポートは、１つのＤＭＲＳアンテナポートグループに属する、請求項１に記載の方法。
【請求項４】
前記２つのコードワードのための全てのＤＭＲＳアンテナポートが、２つ以上のＤＭＲＳアンテナポートグループに属する場合、前記ＰＴＲＳアンテナポートの数は、前記２つ以上のＤＭＲＳアンテナポートグループの数以下である、請求項１に記載の方法。
【請求項５】
前記基地局から前記ＰＴＲＳアンテナポートの数に関する情報を受信するステップをさらに含む、請求項４に記載の方法。
【請求項６】
前記２つのコードワードのための全てのＤＭＲＳアンテナポートが、前記２つ以上のＤＭＲＳアンテナポートグループに属し、前記ＰＴＲＳアンテナポートの数が１である場合、前記ＰＴＲＳアンテナポートは、前記２つのコードワードのうち、最も高いＭＣＳを有する前記コードワードのためのＤＭＲＳアンテナポートグループに属する１つ以上のＤＭＲＳアンテナポートのうち最低のインデックスを有するＤＭＲＳアンテナポートと関連付けられる、請求項４に記載の方法。
【請求項７】
前記２つのコードワードのそれぞれに対するＣＱＩ（Ｃｈａｎｎｅｌ  Ｑｕａｌｉｔｙ  Ｉｎｆｏｒｍａｔｉｏｎ）を前記基地局に送信するステップと、
前記２つのコードワードのうち、最も高いＣＱＩを有するコードワードに含まれる１つ以上のレイヤーのうち、最良のチャネル品質を有するレイヤーのレイヤーインデックスを前記基地局に送信するステップと、をさらに含む、請求項１に記載の方法。
【請求項８】
無線通信システムにおいて動作する端末であって、
基地局と信号を送受信するように構成される送受信部と、
前記送受信部と接続されたプロセッサと、を含み、
前記プロセッサは、
前記基地局から２つのコードワードのそれぞれに対するＭＣＳ（Ｍｏｄｕｌａｔｉｏｎ  ａｎｄ  Ｃｏｄｉｎｇ  Ｓｃｈｅｍｅ）情報を受信し、
前記ＭＣＳ情報に基づいて、ＰＴＲＳ（Ｐｈａｓｅ  Ｔｒａｃｋｉｎｇ  Ｒｅｆｅｒｅｎｃｅ  Ｓｉｇｎａｌ）アンテナポートと、複数のＤＭＲＳ（ＤｅＭｏｄｕｌａｔｉｏｎ  Ｒｅｆｅｒｅｎｃｅ  Ｓｉｇｎａｌ）アンテナポートのうちのＤＭＲＳアンテナポートとの間の関連を決定し、
前記ＰＴＲＳアンテナポートに基づいて、ＰＴＲＳを受信するように前記送受信部を制御するように構成され、
前記ＰＴＲＳアンテナポートは、前記２つのコードワードのうち、より高いＭＣＳを有するコードワードのための前記複数のＤＭＲＳアンテナポートのうちの１つ以上のＤＭＲＳアンテナポートのうち最低のインデックスを有するＤＭＲＳアンテナポートと関連付けられる、端末。
【請求項９】
前記２つのコードワードが同一のＭＣＳを有する場合、前記ＰＴＲＳアンテナポートは、前記２つのコードワードのための前記複数のＤＭＲＳアンテナポートのうち最低のインデックスを有するＤＭＲＳアンテナポートと関連付けられる、請求項８に記載の端末。
【請求項１０】
前記２つのコードワードのための全てのＤＭＲＳアンテナポートは、１つのＤＭＲＳアンテナポートグループに属する、請求項８に記載の端末。
【請求項１１】
前記２つのコードワードのための全てのＤＭＲＳアンテナポートが、２つ以上のＤＭＲＳアンテナポートグループに属する場合、前記ＰＴＲＳアンテナポートの数は、前記２つ以上のＤＭＲＳアンテナポートグループの数以下である、請求項８に記載の端末。
【請求項１２】
前記プロセッサは、前記基地局から前記ＰＴＲＳアンテナポートの数に関する情報を受信するように前記送受信部を制御するようにさらに構成される、請求項１１に記載の端末。
【請求項１３】
前記２つのコードワードのための全てのＤＭＲＳアンテナポートが、前記２つ以上のＤＭＲＳアンテナポートグループに属し、前記ＰＴＲＳアンテナポートの数が１である場合、前記ＰＴＲＳアンテナポートは、前記２つのコードワードのうち、最も高いＭＣＳを有する前記コードワードのためのＤＭＲＳアンテナポートグループに属する１つ以上のＤＭＲＳアンテナポートのうち最低のインデックスを有するＤＭＲＳアンテナポートと関連付けられる、請求項１１に記載の端末。
【請求項１４】
前記プロセッサは、
前記２つのコードワードのそれぞれに対するＣＱＩ（Ｃｈａｎｎｅｌ  Ｑｕａｌｉｔｙ  Ｉｎｆｏｒｍａｔｉｏｎ）を前記基地局に送信し、
前記２つのコードワードのうち、最も高いＣＱＩを有するコードワードに含まれる１つ以上のレイヤーのうち、最良のチャネル品質を有するレイヤーのレイヤーインデックスを前記基地局に送信するように前記送受信部を制御するようにさらに構成される、請求項８に記載の端末。
【手続補正書】
【提出日】令和1年8月28日(2019.8.28)
【手続補正１】
【補正対象書類名】特許請求の範囲
【補正対象項目名】全文
【補正方法】変更
【補正の内容】
【特許請求の範囲】
【請求項１】
無線通信システムにおいてＵＥ（User Equipment）を動作させる方法であって、
ＢＳ（Base Station）から２つのコードワードのそれぞれに対するＭＣＳ（Modulation and Coding Scheme）情報を受信するステップと、
前記受信したＭＣＳ情報に基づいて、複数のＤＭＲＳ（Demodulation Reference Signal）アンテナポートのうちの、ＰＴＲＳ（Phase Tracking Reference Signal）アンテナポートがマッピングされているＤＭＲＳアンテナポートを決定するステップと、
前記ＰＴＲＳアンテナポートを経由してＰＴＲＳを受信するステップと、を含み、
前記２つのコードワードが異なるＭＣＳを有する場合、前記ＰＴＲＳアンテナポートは、前記２つのコードワードのうち最も高いＭＣＳを有するコードワードのための１つ以上のＤＭＲＳアンテナポートのうち最も低いインデックスを有するＤＭＲＳアンテナポートにマッピングされており、
前記２つのコードワードが同一のＭＣＳを有する場合、前記ＰＴＲＳアンテナポートは、前記２つのコードワードのための前記複数のＤＭＲＳアンテナポートのうち最も低いインデックスを有するＤＭＲＳアンテナポートにマッピングされている、方法。
【請求項２】
前記２つのコードワードに関連した全てのＤＭＲＳアンテナポートは、１つのＤＭＲＳアンテナポートグループに属する、請求項１に記載の方法。
【請求項３】
前記ＰＴＲＳアンテナポートは、前記ＰＴＲＳアンテナポートがマッピングされている前記ＤＭＲＳアンテナポートのために構成された、少なくとも１つのサブキャリアインデックスを有する、請求項１に記載の方法。
【請求項４】
前記ＰＴＲＳアンテナポートと、前記ＰＴＲＳアンテナポートがマッピングされている前記ＤＭＲＳアンテナポートは、同一のプリコーディングを有する、請求項１に記載の方法。
【請求項５】
前記２つのコードワードのそれぞれに対するＣＱＩ（Channel Quality Information）を前記ＢＳに送信するステップと、
前記２つのコードワードのうち、最も高いＣＱＩを有するコードワードに含まれる１つ以上のレイヤーのうち、最も良いチャネル品質を有するレイヤーのレイヤーインデックスに関する情報を前記ＢＳに送信するステップと、をさらに含む、請求項１に記載の方法。
【請求項６】
前記ＵＥは、前記決定に基づいて、前記ＰＴＲＳアンテナポートを経由して前記ＰＴＲＳを受信する、請求項１に記載の方法。
【請求項７】
無線通信システムにおいて動作するＵＥ（User Equipment）であって、
送信部と、
受信部と、
少なくとも１つのプロセッサと、
前記少なくとも１つのプロセッサと動作可能に接続可能であり、命令を記憶する少なくとも１つのコンピュータメモリと、を含み、
前記命令は、前記少なくとも１つのプロセッサによって実行されるとき、
ＢＳ（Base Station）から２つのコードワードのそれぞれに対するＭＣＳ（Modulation and Coding Scheme）情報を受信し、
前記受信したＭＣＳ情報に基づいて、複数のＤＭＲＳ（Demodulation Reference Signal）アンテナポートのうちの、ＰＴＲＳ（Phase Tracking Reference Signal）アンテナポートがマッピングされているＤＭＲＳアンテナポートを決定し、
前記決定に基づいて、前記ＰＴＲＳアンテナポートを経由してＰＴＲＳを受信することを含む動作を実行し、
前記２つのコードワードが異なるＭＣＳを有する場合、前記ＰＴＲＳアンテナポートは、前記２つのコードワードのうち最も高いＭＣＳを有するコードワードのための１つ以上のＤＭＲＳアンテナポートのうち最も低いインデックスを有するＤＭＲＳアンテナポートにマッピングされており、
前記２つのコードワードが同一のＭＣＳを有する場合、前記ＰＴＲＳアンテナポートは、前記２つのコードワードのための前記複数のＤＭＲＳアンテナポートのうち最も低いインデックスを有するＤＭＲＳアンテナポートにマッピングされている、ＵＥ。
【請求項８】
前記２つのコードワードに関連した全てのＤＭＲＳアンテナポートは、１つのＤＭＲＳアンテナポートグループに属する、請求項７に記載のＵＥ。
【請求項９】
前記ＰＴＲＳアンテナポートは、前記ＰＴＲＳアンテナポートがマッピングされている前記ＤＭＲＳアンテナポートのために構成された、少なくとも１つのサブキャリアインデックスを有する、請求項７に記載のＵＥ。
【請求項１０】
前記ＰＴＲＳアンテナポートと、前記ＰＴＲＳアンテナポートがマッピングされている前記ＤＭＲＳアンテナポートは、同一のプリコーディングを有する、請求項７に記載のＵＥ。
【請求項１１】
前記動作は、
前記２つのコードワードのそれぞれに対するＣＱＩ（Channel Quality Information）を前記ＢＳに送信し、
前記２つのコードワードのうち、最も高いＣＱＩを有するコードワードに含まれる１つ以上のレイヤーのうち、最も良いチャネル品質を有するレイヤーのレイヤーインデックスに関連する情報を前記ＢＳに送信することをさらに含む、請求項７に記載のＵＥ。
【請求項１２】
前記ＵＥは、前記決定に基づいて、前記ＰＴＲＳアンテナポートを経由して前記ＰＴＲＳを受信する、請求項７に記載のＵＥ。
【請求項１３】
無線通信システムにおいて動作するＢＳ（Base Station）であって、
送信部と、
受信部と、
少なくとも１つのプロセッサと、
前記少なくとも１つのプロセッサと動作可能に接続可能であり、命令を記憶する少なくとも１つのコンピュータメモリと、を含み、
前記命令は、前記少なくとも１つのプロセッサによって実行されるとき、
２つのコードワードのそれぞれに対するＭＣＳ（Modulation and Coding Scheme）情報をＵＥ（User Equipment）に送信し、
ＰＴＲＳ（Phase Tracking Reference Signal）アンテナポートを経由してＰＴＲＳを前記ＵＥに送信することを含む動作を実行し、
前記ＰＴＲＳアンテナポートは、複数のＤＭＲＳ（Demodulation Reference Signal）アンテナポートのうちのＤＭＲＳアンテナポートにマッピングされ、
前記２つのコードワードが異なるＭＣＳを有する場合、前記ＰＴＲＳアンテナポートは、前記２つのコードワードのうち最も高いＭＣＳを有するコードワードのための１つ以上のＤＭＲＳアンテナポートのうち最も低いインデックスを有するＤＭＲＳアンテナポートにマッピングされ、
前記２つのコードワードが同一のＭＣＳを有する場合、前記ＰＴＲＳアンテナポートは、前記２つのコードワードのための前記複数のＤＭＲＳアンテナポートのうち最も低いインデックスを有するＤＭＲＳアンテナポートにマッピングされる、ＢＳ。
【請求項１４】
前記２つのコードワードに関連した全てのＤＭＲＳアンテナポートは、１つのＤＭＲＳアンテナポートグループに属する、請求項１３に記載のＢＳ。
【請求項１５】
前記ＰＴＲＳアンテナポートは、前記ＰＴＲＳアンテナポートがマッピングされる前記ＤＭＲＳアンテナポートのために構成された、少なくとも１つのサブキャリアインデックスを有する、請求項１３に記載のＢＳ。
【請求項１６】
前記ＰＴＲＳアンテナポートと、前記ＰＴＲＳアンテナポートがマッピングされる前記ＤＭＲＳアンテナポートは、同一のプリコーディングを有する、請求項１３に記載のＢＳ。
【請求項１７】
前記動作は、
前記２つのコードワードのそれぞれに対するＣＱＩ（Channel Quality Information）を前記ＵＥから受信し、
前記２つのコードワードのうち、最も高いＣＱＩを有するコードワードに含まれる１つ以上のレイヤーのうち、最も良いチャネル品質を有するレイヤーのレイヤーインデックスに関連する情報を前記ＵＥから受信することをさらに含む、請求項１３に記載のＢＳ。
【国際調査報告】
2019535213.tif 000008
2019535213.tif 000009
2019535213.tif 000010
2019535213.tif 000011
2019535213.tif 000012
2019535213.tif 000013
2019535213.tif 000014
2019535213.tif 000015